(57)【要約】【課題】製造コストが安く、しかも、ディスクを確実に保持して薄型に構成することが可能なディスク装置のディスク搬送機構を提供する。【解決手段】ディスクガイド２と送りローラ３とでディスク４を挾持して前記送りローラ３の回転によりディスク４を搬送するディスク装置のディスク搬送機構において、前記ディスクガイド２のディスク接触面側にディスクのディスク装置内への進行方向に対して前側と後側とに頂点がディスク中心径路上に位置し前記頂点から互いに開くように傾斜した前側稜線２ａと後側稜線２ｂとを有し、前記前側稜線２ａの頂点から前記進行方向に延びるサブ稜線２ｃを設けた。【選択図】図３
2010086575.tif 000002
【特許請求の範囲】
【請求項１】
ディスクガイドと送りローラとでディスクを挾持して前記送りローラの回転によりディスクを搬送するディスク装置のディスク搬送機構において、前記ディスクガイドのディスク接触面側にディスクのディスク装置内への進行方向に対して前側と後側とに頂点がディスク中心径路上に位置し前記頂点から互いに開くように傾斜した前側稜線と後側稜線とを有し、前記前側稜線の頂点から前記進行方向に延びるサブ稜線を設けたことを特徴とするディスク装置のディスク搬送機構。
【請求項２】
前記前側稜線およびは後側稜線はディスク中心径路から離れるに従ってディスクに近付く方向に傾斜している請求項１のディスク装置のディスク搬送機構。
【請求項３】
ディスクガイドと送りローラとでディスクを挾持して前記送りローラの回転によりディスクを搬送するディスク装置のディスク搬送機構において、前記ディスクガイドのディスク接触面側に頂点がディスク中心径路上に位置しディスクのディスク装置内への進行方向に対して前側が前記頂点から互いに開くように傾斜した前側稜線を有し、前記前側稜線の頂点から前記進行方向に延びるサブ稜線を設けたことを特徴とするディスク装置のディスク搬送機構。
【請求項４】
前記前側稜線はディスク中心径路から離れるに従ってディスクに近付く方向に傾斜している請求項３のディスク装置のディスク搬送機構。
【発明の詳細な説明】
【技術分野】
【０００１】
この発明はディスク装置に係わり、特に、ディスクをローディングおよびアンローディングするディスク搬送機構に関する。
【背景技術】
【０００２】
従来のディスク装置のディスク搬送機構の例を図４〜図６により説明する。図４は従来のディスク装置のディスク搬送機構の例を示す下面図、図５は同ディスク搬送機構を示す側面図、図６は同ディスク搬送機構の他の状態を示す側面図である。
【０００３】
図５〜図６に示すディスクガイド５は図示していないシャーシに固定されている。送りローラ３は金属シャフトにゴムが被覆されて形成されている。送りローラ３はシャーシに可動に支持されており、ディスク４を送るときは、ディスク４に圧接するようにばねで付勢され、ディスク４のローディング終了後は下動してディスク４から離れる。ディスクガイド５の下面にはディスク４の挿入路中心線上を頂点として互いに離れる方向に延びる前側稜線５ａと後側稜線５ｂが形成されている。
【０００４】
ディスク４を図示していないディスク装置の筐体に設けられた挿入口（図５における左側に配置されている）からディスクガイド５と送りローラ３で挾持されるローディング開始位置まで挿入すると、ディスクが挿入されたことが図示していないスイッチで検出され、送りローラ３が回転してディスク４を再生位置まで送るローディングが行われる。
【０００５】
図５はローディングおよびディスク４をディスク装置から排出するアンローディングの途中の状態を示している。このとき、ディスク４は送りローラ３によりディスクガイド５の前側稜線５ａと後側稜線５ｂに圧接されている。
【０００６】
しかしながら、上記ディスク搬送機構では、ローディング終了まぎわやアンローディング開始直後では図６に示すように、ディスク４が前側稜線５ａから離れ、送りローラ３と後側稜線５ｂで支えられた状態となることがあった。この状態ではディスク４の位置が不安定となり、ディスク４の保持力が弱くなり、また、ディスクが正規の軌道で送られなくなるという問題があった。
【０００７】
特開２００２−１４０８５０号公報に開示されたディスクプレーヤ装置では、構造板（シャーシ）７８に固定された弾性支持部材（ディスクガイド）８０にアーム部２８２が回動自在に支持され、アーム部２８２がばね２９２で付勢され押圧頭部２８４が弾性支持部材８０の穴から突出する構成となっている。この構成によると、ディスク２７６（２７８）は送りローラ１０８と押圧頭部２８４とで強固に挾持される。
【０００８】
しかしながら、上記特開２００２−１４０８５０号公報に開示されたディスクプレーヤ装置は、ディスクガイドにアーム部２８２を回動自在に支持してばねで付勢するために、部品点数や組立て工数が増大して製造コストが高くなり、しかも、ディスクガイド部分の厚さが厚くなるために、薄型に構成する必要のある車載用にディスク装置に適用することが不利である。
【特許文献１】特開２００２−１４０８５０号公報、段落０２２５〜段落０２３１、図５０、図５１
【発明の開示】
【発明が解決しようとする課題】
【０００９】
この発明は上記した点に鑑みてなされたものであって、その目的とするところは、製造コストが安く、しかも、ディスクを確実に保持して薄型に構成することが可能なディスク装置のディスク搬送機構を提供することにある。
【課題を解決するための手段】
【００１０】
この発明のディスク装置のディスク搬送機構は、ディスクガイドと送りローラとでディスクを挾持して前記送りローラの回転によりディスクを搬送するディスク装置のディスク搬送機構において、前記ディスクガイドのディスク接触面側にディスクのディスク装置内への進行方向に対して前側と後側とに頂点がディスク中心径路上に位置し前記頂点から互いに開くように傾斜した前側稜線と後側稜線とを有し、前記前側稜線の頂点から前記進行方向に延びるサブ稜線を設けたものである。
【００１１】
また、前記ディスク装置のディスク搬送機構において、前記前側稜線およびは後側稜線はディスク中心径路から離れるに従ってディスクに近付く方向に傾斜しているものである。
【００１２】
さらに、この発明のディスク装置のディスク搬送機構は、ディスクガイドと送りローラとでディスクを挾持して前記送りローラの回転によりディスクを搬送するディスク装置のディスク搬送機構において、前記ディスクガイドのディスク接触面側に頂点がディスク中心径路上に位置しディスクのディスク装置内への進行方向に対して前側が前記頂点から互いに開くように傾斜した前側稜線を有し、前記前側稜線の頂点から前記進行方向に延びるサブ稜線を設けたものである。
【００１３】
また、前記ディスク装置のディスク搬送機構において、前記前側稜線はディスク中心径路から離れるに従ってディスクに近付く方向に傾斜しているものである。
【発明の効果】
【００１４】
この発明のディスク装置のディスク搬送機構によれば、製造コストが安く、しかも、ディスクを確実に保持して薄型に構成することが可能となる。
【発明を実施するための最良の形態】
【００１５】
以下この発明を実施するための最良の形態を実施例に即して説明する。図１はこの発明の実施例であるディスク装置のディスク搬送機構を示す斜視図、図２は同ディスク搬送機構を構成するディスクガイドを示す下面図、図３は同ディスク搬送機構の作用を説明するための側面図である。
【００１６】
図１〜図３に示すディスクガイド２はシャーシ１に固定されている。送りローラ３は金属シャフトにゴムが被覆されて形成されている。送りローラ３はシャーシに可動に支持されており、ディスク４を送るときは、ディスク４に圧接するようにばねで付勢され、ディスク４のローディング終了後は下動してディスク４から離れる。
【００１７】
ディスクガイド２の下面にはディスク４の挿入路中心線上を頂点として互いに離れる方向に延びる前側稜線２ａと後側稜線２ｂが形成されている。そして、前側稜線２ａからディスクローディング方向に延びるサブ稜線２ｃが形成されている。
【００１８】
前側稜線２ａおよび後側稜線２ｂは外側に向けて高さが高くなる（ディスク３の方向）ように傾斜しており、サブ稜線２ｃはディスクローディング方向に向けて低くなるように傾斜している。
【００１９】
ディスク４を図示していないディスク装置の筐体に設けられた挿入口（図１における左下方向位置に配置されている）からディスクガイド２と送りローラ３で挾持されるローディング開始位置まで挿入すると、ディスクが挿入されたことが図示していないスイッチで検出され、送りローラ３が回転してディスク４を再生位置まで送るローディングが行われる。
【００２０】
図３はローディングおよびディスク４をディスク装置から排出するアンローディングの途中の状態を示している。このとき、ディスク４は送りローラ３によりディスクガイド２のサブ稜線２ｃと後側稜線２ｂに圧接されている。
【００２１】
上記ディスク搬送機構では、ローディング終了まぎわやアンローディング開始直後では図３に示すように、送りローラ３によりディスク４が中心線上でサブ稜線２ｃと圧接され、両側の縁の部分で後側稜線２ｂと圧接されるのでディスク４が確実に保持され位置が安定する。そして、後側稜線２ｂは外側に向けて高さが高くなっているでディスク４がローディング軌跡において中心線上に案内され正規の位置で移送される。
【００２２】
このように、アンローディングにおいて、ディスク４が所定の位置に排出されるので製品の品位が高くなる。このような効果がディスクガイド２の形状を従来のものと変えるだけで得られるので、製造コストが高くなることがなく、また、ディスクガイド２に余分の部品を取付けることもないので、装置が大型とならない。
【００２３】
実施例は以上のように構成されているが発明はこれに限られず、例えば、ディスク通路側面に配置されるディスク移動路規制部材を前側稜線２ａ方向に延ばせば、後側稜線２ｂを省いてもこの発明の効果が得られる。
【図面の簡単な説明】
【００２４】
【図１】この発明の実施例であるディスク装置のディスク搬送機構を示す斜視図である。
【図２】同ディスク搬送機構を構成する部材を示す下面図である。
【図３】同ディスク搬送機構の作用を説明するための側面図である。
【図４】従来のディスク装置のディスク搬送機構の例を示す下面図である。
【図５】同ディスク搬送機構を示す側面図である。
【図６】同ディスク搬送機構の他の状態を示す側面図である。
【符号の説明】
【００２５】
１  シャーシ
２  ディスクガイド、２ａ  前側稜線、２ｂ  後側稜線、２ｃ  サブ稜線
３  送りローラ
４  ディスク
５  ディスクガイド、５ａ  前側稜線、５ｂ  後側稜線
【図１】
2010086575.tif 000003
【図２】
2010086575.tif 000004
【図３】
2010086575.tif 000005
【図４】
2010086575.tif 000006
【図５】
2010086575.tif 000007
【図６】
2010086575.tif 000008